(57)【要約】【課題】異形接続部位が製造コストの低減を可能とする形状に形成されたコイルを備える回転電機用電機子を実現する。【解決手段】第一周方向接続部５２が備える一対の導体辺部の間隔は、第二周方向接続部５１が備える一対の導体辺部の間隔と同じとされ、第二周方向接続部５１の導体渡り部が第一周方向接続部５２の導体渡り部と同じ径方向Ｒ位置で周方向Ｃに１スロットピッチ分ずらして配置されている。【選択図】図１
2012055074.tif 000002
【特許請求の範囲】
【請求項１】
円筒状のコア基準面の軸方向に延びるスロットが当該コア基準面の周方向に複数分散配置されている電機子コアと、前記スロット内に配置される導体辺部を有して前記電機子コアに巻装されたコイルと、を備えた回転電機用電機子であって、
前記コイルは、複数の互いに異なる相の相コイルを備え、各相コイルは、一対の前記スロットのそれぞれに複数の前記導体辺部が配置されて当該一対のスロット間に複数回巻回されてなる重ね巻部と、少なくとも一端が前記重ね巻部に接続される周方向接続部と、を備え、
前記周方向接続部は、一対の前記導体辺部と、当該一対の導体辺部の間を前記電機子コアの軸方向外側で接続する導体渡り部と、前記導体渡り部とは軸方向反対側において当該一対の導体辺部のそれぞれから延びて前記電機子コアから軸方向に突出する突出部と、を備え、
前記各相コイルは、前記コア基準面の周方向に沿って一定ピッチで配置された複数の前記重ね巻部と当該重ね巻部の間を接続する前記周方向接続部とを有する第一コイル部と、前記第一コイル部に対して周方向におけるいずれか一方側に１スロットピッチ分ずらして配置され、前記コア基準面の周方向に沿って一定ピッチで配置された複数の前記重ね巻部と当該重ね巻部の間を接続する前記周方向接続部とを有する第二コイル部とを備え、
前記第一コイル部と前記第二コイル部とを接続する前記周方向接続部が第一周方向接続部であり、前記第一コイル部及び前記第二コイル部のいずれか一方である対象コイル部の前記第一周方向接続部との接続部とは反対側の端部に接続される前記周方向接続部が第二周方向接続部であり、
前記第一周方向接続部が備える一対の前記導体辺部の間隔は、前記第二周方向接続部が備える一対の前記導体辺部の間隔と同じとされ、
前記第二周方向接続部の前記導体渡り部が前記第一周方向接続部の前記導体渡り部と同じ径方向位置で周方向に１スロットピッチ分ずらして配置されている回転電機用電機子。
【請求項２】
前記第一コイル部及び前記第二コイル部の内の前記対象コイル部とは異なるコイル部が、前記対象コイル部に対して前記コア基準面の周方向のいずれか一方側である周第一方向側に１スロットピッチ分ずらして配置され、
前記第二周方向接続部の前記対象コイル部に接続される側とは反対側の前記突出部である第二対象突出部が、前記第一周方向接続部の前記対象コイル部に接続される側の前記突出部である第一対象突出部と前記コア基準面の径方向に見て交差するように配置され、
前記第二対象突出部の先端部が、前記第一対象突出部の先端部に対して前記周第一方向側に１スロットピッチ分未満の長さだけずらして配置されている請求項１に記載の回転電機用電機子。
【請求項３】
前記第一対象突出部と前記第二対象突出部との双方は、延出元の前記導体辺部から前記周第一方向側へ向かうように延びる形状とされており、
前記第二対象突出部の延出元の前記導体辺部が、前記第一対象突出部の延出元の前記導体辺部に対して前記周第一方向とは反対側の周第二方向側における同じ径方向位置に配置されているとともに、前記第二対象突出部の先端部が、前記第一対象突出部の先端部に対して、前記コア基準面の径方向における界磁とは反対側である径方向反界磁側に配置されている請求項２に記載の回転電機用電機子。
【請求項４】
前記周方向接続部が備える一対の前記突出部の少なくともいずれか一方は、先端部を前記導体辺部とは異なる周方向位置とするための周方向屈曲部を備え、
前記周方向屈曲部は、前記導体辺部と平行に延びるように形成された前記突出部を、前記導体辺部の前記スロット内への挿入後に屈曲して形成されたものである請求項１から３のいずれか一項に記載の回転電機用電機子。
【請求項５】
前記第一周方向接続部が備える前記導体渡り部の形状、前記第二周方向接続部が備える前記導体渡り部の形状、前記第一コイル部内の前記周方向接続部が備える前記導体渡り部の形状、及び前記第二コイル部内の前記周方向接続部が備える前記導体渡り部の形状が、全て同一の形状とされている請求項１から４のいずれか一項に記載の回転電機用電機子。
【請求項６】
前記重ね巻部は、前記スロットに対して軸方向に挿入可能な複数のセグメント導体を用いて、当該セグメント導体の前記電機子コアから軸方向に突出する突出部同士を接合して構成されている請求項１から５のいずれか一項に記載の回転電機用電機子。
【発明の詳細な説明】
【技術分野】
【０００１】
本発明は、円筒状のコア基準面の軸方向に延びるスロットが当該コア基準面の周方向に複数分散配置されている電機子コアと、スロット内に配置される導体辺部を有して電機子コアに巻装されたコイルと、を備えた回転電機用電機子に関する。
【背景技術】
【０００２】
上記回転電機用電機子の従来例として、例えば下記の特許文献１に記載された技術がある。以下、この背景技術の説明では、特許文献１の符号を引用する。特許文献１に記載の構成では、周方向に隣接する２つのスロットに同相のコイルが配置されるように、以下のような構成を採用している。すなわち、特許文献１の図３、図４に示されているように、所定の間隔を隔てて複数配置された重ね巻コイル３０同士を渡りセグメント３２により直列結線することで重ね巻直列コイルを形成する。そして、特許文献１の図５、図６に示されているように、互いに周方向に１スロットピッチ分ずらして配置された第一の重ね巻直列コイルと第二の重ね巻直列コイルとを接続セグメント３４により直列結線することで直列コイルを形成する。
【０００３】
ところで、第一の重ね巻直列コイルと第二の重ね巻直列コイルとは周方向に互いに１スロットピッチ分ずらして配置されているため、これらの重ね巻直列コイル同士の接続箇所は、コイルの他の部位とは形状が異なる異形接続部位となる。特許文献１に記載の構成では、当該文献の図４、図６に示されているように、この異形接続部位には、重ね巻直列コイル内で重ね巻コイル３０同士を接続する渡りセグメント３２とは周方向の幅が異なる接続セグメント３４が配置される。また、特許文献１の図６に示されているように、接続セグメント３４が配置される異形接続部位には、直列コイルの入力側端部ＩＮ１や出力側端部ＯＵＴ１を形成するための専用の部材も配置される。
【０００４】
このように、コイルの異形接続部位には他とは異なる形状の導体が配置されるため、この異形接続部位の形状を適切に設定することで製造コストを低減できる可能性がある。しかしながら、上記特許文献１には、コイルの異形接続部位の形状の適切化に言及した記載はなく、当然ながら、製造コストの低減の観点から好適なコイルの異形接続部位の形状について特許文献１には何ら示されていない。
【先行技術文献】
【特許文献】
【０００５】
【特許文献１】特開２００３−２３５１９１号公報
【発明の概要】
【発明が解決しようとする課題】
【０００６】
そこで、異形接続部位が製造コストの低減を可能とする形状に形成されたコイルを備える回転電機用電機子の実現が望まれる。
【課題を解決するための手段】
【０００７】
本発明に係る、円筒状のコア基準面の軸方向に延びるスロットが当該コア基準面の周方向に複数分散配置されている電機子コアと、前記スロット内に配置される導体辺部を有して前記電機子コアに巻装されたコイルと、を備えた回転電機用電機子の特徴構成は、前記コイルは、複数の互いに異なる相の相コイルを備え、各相コイルは、一対の前記スロットのそれぞれに複数の前記導体辺部が配置されて当該一対のスロット間に複数回巻回されてなる重ね巻部と、少なくとも一端が前記重ね巻部に接続される周方向接続部と、を備え、前記周方向接続部は、一対の前記導体辺部と、当該一対の導体辺部の間を前記電機子コアの軸方向外側で接続する導体渡り部と、前記導体渡り部とは軸方向反対側において当該一対の導体辺部のそれぞれから延びて前記電機子コアから軸方向に突出する突出部と、を備え、前記各相コイルは、前記コア基準面の周方向に沿って一定ピッチで配置された複数の前記重ね巻部と当該重ね巻部の間を接続する前記周方向接続部とを有する第一コイル部と、前記第一コイル部に対して周方向におけるいずれか一方側に１スロットピッチ分ずらして配置され、前記コア基準面の周方向に沿って一定ピッチで配置された複数の前記重ね巻部と当該重ね巻部の間を接続する前記周方向接続部とを有する第二コイル部とを備え、前記第一コイル部と前記第二コイル部とを接続する前記周方向接続部が第一周方向接続部であり、前記第一コイル部及び前記第二コイル部のいずれか一方である対象コイル部の前記第一周方向接続部との接続部とは反対側の端部に接続される前記周方向接続部が第二周方向接続部であり、前記第一周方向接続部が備える一対の前記導体辺部の間隔は、前記第二周方向接続部が備える一対の前記導体辺部の間隔と同じとされ、前記第二周方向接続部の前記導体渡り部が前記第一周方向接続部の前記導体渡り部と同じ径方向位置で周方向に１スロットピッチ分ずらして配置されている点にある。
【０００８】
本願では、「回転電機」は、モータ（電動機）、ジェネレータ（発電機）、及び必要に応じてモータ及びジェネレータの双方の機能を果たすモータ・ジェネレータのいずれをも含む概念として用いている。
【０００９】
この特徴構成によれば、第一コイル部と第二コイル部との接続箇所がコイルにおける異形接続部位となり、当該異形接続部位には、第一周方向接続部と第二周方向接続部とが配置されるが、これらの第一周方向接続部と第二周方向接続部とは、一対の導体辺部の間隔が互いに等しく設定される。さらに、これらの第一周方向接続部と第二周方向接続部とは、導体渡り部が同じ径方向位置で周方向に互いに１スロットピッチ分ずらして配置される。よって、突出部を除く部分の形状を、第一周方向接続部と第二周方向接続部とで互いに同一なものとすることができ、第一周方向接続部や第二周方向接続部を形成するための加工治具やこれらの周方向接続部の管理手段を共通化することが容易な構成となっている。これにより回転電機用電機子の製造コストの低減を図ることができる。
さらに、上記の特徴構成によれば、突出部を除く部分の形状を、第一周方向接続部と第二周方向接続部とで互いに同一なものとすることができるため、導体渡り部が配置される側のコイルエンド部を異形接続部位においても規則的なものとすることができ、導体渡り部が配置される側のコイルエンド部の小型化を図ることができる。
【００１０】
ここで、前記第一コイル部及び前記第二コイル部の内の前記対象コイル部とは異なるコイル部が、前記対象コイル部に対して前記コア基準面の周方向のいずれか一方側である周第一方向側に１スロットピッチ分ずらして配置され、前記第二周方向接続部の前記対象コイル部に接続される側とは反対側の前記突出部である第二対象突出部が、前記第一周方向接続部の前記対象コイル部に接続される側の前記突出部である第一対象突出部と前記コア基準面の径方向に見て交差するように配置され、前記第二対象突出部の先端部が、前記第一対象突出部の先端部に対して前記周第一方向側に１スロットピッチ分未満の長さだけずらして配置されている構成とすると好適である。
【００１１】
この構成によれば、第二対象突出部の先端部を、他相の相コイルから離間して配置し、当該先端部の絶縁を確保するのが容易となる。従って、第二対象突出部の先端部が動力線や中性点等と接続される場合にも当該先端部の絶縁を確保するのが容易となる。
なお、上記の構成によれば、第一対象突出部と第二対象突出部とが径方向に見て交差するように配置される。すなわち、突出部の形状まで含めると、第一周方向接続部と第二周方向接続部とは形状が互いに異なる。しかしながら、上記のような構成では、周方向接続部をスロットに挿入する前の段階では突出部が導体辺部と平行に延びた状態とされることが多い。また、突出部を除く部分の形状が同一であれば、加工治具や管理手段の共通化を図ることができる。従って、突出部の形状まで含めると第一周方向接続部と第二周方向接続部とは形状が互いに異なるが、第一周方向接続部や第二周方向接続部を形成するための加工治具やこれらの周方向接続部の管理手段を共通なものとすることが可能である。
また、突出部が配置される側のコイルエンド部は、第一対象突出部と第二対象突出部とを径方向に見て交差させて配置することで径方向に大型化するおそれがあるが、突出部が配置される側は動力線や中性点等との接続部位が設けられる側であるため、突出部同士の交差がコイルエンド部の大型化に及ぼす影響は小さくすることが可能である。
【００１２】
上記のように前記第二対象突出部が前記第一対象突出部と前記コア基準面の径方向に見て交差するように配置される構成において、前記第一対象突出部と前記第二対象突出部との双方は、延出元の前記導体辺部から前記コア基準面の周方向のいずれか一方側である周第一方向側へ向かうように延びる形状とされており、前記第二対象突出部の延出元の前記導体辺部が、前記第一対象突出部の延出元の前記導体辺部に対して前記周第一方向とは反対側の周第二方向側における同じ径方向位置に配置されているとともに、前記第二対象突出部の先端部が、前記第一対象突出部の先端部に対して、前記コア基準面の径方向における界磁とは反対側である径方向反界磁側に配置されていると好適である。
【００１３】
この構成によれば、第二対象突出部の先端部を、他の突出部に対して径方向に突出させて配置できるので、第二対象突出部の先端部を動力線や中性点等と接続する構成とする場合に、当該接続を行う工程の作業性を向上させることができる。なお、第二対象突出部の先端部は、第一対象突出部の先端部に対して径方向反界磁側に位置するため、製造時等における界磁とコイルエンド部との干渉を抑制しつつ、上記作業性を向上させることができる。
【００１４】
また、前記周方向接続部が備える一対の前記突出部の少なくともいずれか一方は、先端部を前記導体辺部とは異なる周方向位置とするための周方向屈曲部を備え、前記周方向屈曲部は、前記導体辺部と平行に延びるように形成された前記突出部を、前記導体辺部の前記スロット内への挿入後に屈曲して形成されたものであると好適である。
【００１５】
この構成によれば、スロット挿入前の周方向接続部を共通形状にすることが容易になるので、第一周方向接続部及び第二周方向接続部の管理手段の共通化をより確実に図ることができる。
【００１６】
また、前記第一周方向接続部が備える前記導体渡り部の形状、前記第二周方向接続部が備える前記導体渡り部の形状、前記第一コイル部内の前記周方向接続部が備える前記導体渡り部の形状、及び前記第二コイル部内の前記周方向接続部が備える前記導体渡り部の形状が、全て同一の形状とされていると好適である。
【００１７】
この構成によれば、第一周方向接続部及び第二周方向接続部のみでなくその他の周方向接続部を含めて、突出部を除く部分の形状を同一なものとすることが可能となり、加工治具や管理手段の共通化を図ることが更に容易となる。また、第一周方向接続部及び第二周方向接続部のみでなくその他の周方向接続部を含めて導体渡り部を規則的に配置することが可能となり、導体渡り部が配置される側のコイルエンド部の形状の小型化を、周方向の広い範囲で図ることができる。
【００１８】
また、前記重ね巻部は、前記スロットに対して軸方向に挿入可能な複数のセグメント導体を用いて、当該セグメント導体の前記電機子コアから軸方向に突出する突出部同士を接合して構成されていると好適である。
【００１９】
この構成によれば、電機子コアが、全周に亘って一体的に形成された一体コアであるとともに、電機子コアに形成されるスロットが、開口部の周方向幅がコイルが装着される部分の周方向幅よりも狭いセミオープンスロットである場合であっても、重ね巻部を容易に電機子コアに巻装することができる。
【図面の簡単な説明】
【００２０】
【図１】本発明の実施形態に係る相コイルの斜視図である。
【図２】本発明の実施形態に係る相コイルの一部の斜視図である。
【図３】本発明の実施形態に係るステータの斜視図である。
【図４】本発明の実施形態に係る基本セグメント導体の斜視図である。
【図５】本発明の実施形態に係る周方向接続部の斜視図である。
【図６】本発明の実施形態に係る第一重ね巻セット及び第二重ね巻セットの配線図である。
【図７】本発明の実施形態に係る第三重ね巻セット及び第四重ね巻セットの配線図である。
【発明を実施するための形態】
【００２１】
本発明に係る回転電機用電機子の実施形態について、図面を参照して説明する。ここでは、本発明に係る回転電機用電機子を、インナロータ型の回転電機のステータ１（図３参照）に適用した場合を例として説明する。ステータ１が備えるコイル３は、図１に示すような相コイル３１を複数の相のそれぞれに対応して備えている。そして、各相コイル３１は、重ね巻部３２と周方向接続部５とを有する重ね巻セット６を複数備えている。このような構成において、本実施形態に係るステータ１は、重ね巻セット６の端部に接続される周方向接続部５であるセット端周方向接続部５ｂの形状及び配置に特徴を有している。以下、本実施形態に係るステータ１の構成について、「ステータの全体構成」、「重ね巻セットの構成」、「セット端周方向接続部の構成」の順に説明する。なお、本実施形態では、ステータ１及びステータコア２が、それぞれ本発明における「回転電機用電機子」及び「電機子コア」に相当する。
【００２２】
以下の説明では、特に断らない限り、「軸方向Ｌ」、「周方向Ｃ」、「径方向Ｒ」は、後述する円筒状のコア基準面２１（図３参照）の軸心を基準として定義している。また、以下の説明では、「軸第一方向Ｌ１」は図３における軸方向Ｌに沿った上方を表し、「軸第二方向Ｌ２」は図３における軸方向Ｌに沿った下方を表すものとする。また、以下の説明では、図３に示すように「周第一方向Ｃ１」は、ステータ１を軸第一方向Ｌ１側から見た場合（軸第一方向Ｌ１側から軸第二方向Ｌ２側を見た場合）における反時計回りの方向を表し、「周第二方向Ｃ２」は、ステータ１を軸第一方向Ｌ１側から見た場合における時計回りの方向を表す。また、「径内方向Ｒ１」は、コア基準面２１の径方向Ｒの内側へ向かう方向を表し、「径外方向Ｒ２」は、コア基準面２１の径方向Ｒの外側へ向かう方向を表す。なお、以下の説明では、コイル３及びコイル３を構成する部材についての各方向は、これらがステータコア２に装着された状態での方向として規定している。
【００２３】
１．ステータの全体構成
本実施形態に係るステータ１の全体構成について、図１〜図３を参照して説明する。図１は、コイル３が備える複数の相コイル３１の内の１つの相コイル３１を示している。本実施形態では、ステータ１は、三相交流（Ｕ相、Ｖ相、Ｗ相）で駆動される回転電機に用いられるステータとされている。そのため、ステータ１が備えるコイル３は、３つの互いに異なる相の相コイル３１を備えている。なお、コイル３が備える各相の相コイル３１は同様の構成を有しているため、以下では各相の相コイル３１を特に区別することなく説明する。
【００２４】
図１に示すように、相コイル３１は、同軸状に複数回巻回されてなる重ね巻部３２と、少なくとも一端が重ね巻部３２に接続された周方向接続部５とを備えている。そして、図２に示すように、周方向Ｃに沿って一定ピッチ（以下、「重ね巻部配設ピッチ」という。）で配置された複数（本例では４つ）の重ね巻部３２と、当該重ね巻部３２の間を接続する周方向接続部５とが、１つの重ね巻セット６を構成している。本例では、重ね巻部配設ピッチは９０度とされている。なお、図２は、相コイル３１の一部（後述する第一重ね巻セット６１、第二重ね巻セット６２、及びこれらの重ね巻セット６１，６２の端部に接続された周方向接続部５）のみを示す斜視図である。なお、重ね巻セット６の詳細な構成については、第２節で説明する。以下では、重ね巻セット６の内部で当該重ね巻セット６が有する重ね巻部３２同士を接続する周方向接続部５を「セット内周方向接続部５ａ」という。本例では、１つの重ね巻セット６は４つの重ね巻部３２を備えるため、１つの重ね巻セット６には３つのセット内周方向接続部５ａが含まれる。
【００２５】
相コイル３１は、図１に示すように、複数（本例では４つ）の重ね巻セット６を備えている。具体的には、相コイル３１は、周方向Ｃに互いにずらして配置された、第一重ね巻セット６１と、第二重ね巻セット６２と、第三重ね巻セット６３と、第四重ね巻セット６４とを備えている。本実施形態では、第一重ね巻セット６１、第二重ね巻セット６２、第三重ね巻セット６３、及び第四重ね巻セット６４は、全て同一の形状とされている。
【００２６】
そして、重ね巻セット６の端部に、電源に接続される動力線や中性点等に当該端部を接続するための周方向接続部５や、同相の異なる重ね巻セット６に当該端部を接続するための周方向接続部５が接続される。以下では、重ね巻セット６の端部に接続される周方向接続部５を「セット端周方向接続部５ｂ」という。本実施形態では、以下に述べるように、相コイル３１は、第一セット端周方向接続部５１、第二セット端周方向接続部５２、第三セット端周方向接続部５３、及び第四セット端周方向接続部５４の４つのセット端周方向接続部５ｂを備えている。
【００２７】
具体的には、図１及び図２に示すように、第一重ね巻セット６１の一方の端部に、当該端部を動力線に接続するための第一セット端周方向接続部５１が接続され、第一重ね巻セット６１の他方の端部に、当該端部を第二重ね巻セット６２の端部に接続するための第二セット端周方向接続部５２が接続されている。また、第四重ね巻セット６４の一方の端部に、当該端部を第三重ね巻セット６３の端部に接続するための第三セット端周方向接続部５３が接続され、第四重ね巻セット６４の他方の端部に、当該端部を中性点に接続するための第四セット端周方向接続部５４が接続されている。
【００２８】
また、第二重ね巻セット６２の第二セット端周方向接続部５２との接続部とは反対側の端部と、第三重ね巻セット６３の第三セット端周方向接続部５３との接続部とは反対側の端部とが、接続部材９０により接続されている。すなわち、本例では、第一重ね巻セット６１、第二重ね巻セット６２、第三重ね巻セット６３、及び第四重ね巻セット６４が、動力線から中性点に向かって記載の順に直列に接続されている。
【００２９】
そして、上記のように構成された相コイル３１を３つ備えるコイル３は、図３に示すように、ステータ１が備えるステータコア２に、全体として重ね巻で巻装される。ここで、ステータコア２は磁性材料を用いて形成されており、コイル３を巻装可能とすべく、円筒状のコア基準面２１の軸方向Ｌに延びるスロット２２が当該コア基準面２１の周方向Ｃに複数（本例では４８個）分散配置されてステータコア２が形成されている。複数のスロット２２は、所定の周方向Ｃ間隔で配置されており、少なくとも軸方向Ｌに延びるように設けられている。本実施形態では、スロット２２は、軸方向Ｌ及び径方向Ｒに延びると共に周方向Ｃに一定幅を有する溝状に形成されている。また、各スロット２２は径内方向Ｒ１側に開口（コア内周面に開口）すると共にステータコア２の軸方向Ｌの両側（軸方向両端面）に開口するように形成されている。以上により、ステータコア２には、複数のスロット２２が、ステータコア２の軸心から放射状に径方向Ｒに延びるように形成されている。また、複数のスロット２２は、互いに同じ形状とされている。
【００３０】
本実施形態では、ステータ１は、上述したように、三相交流（Ｕ相、Ｖ相、Ｗ相）で駆動される回転電機に用いられるステータとされている。そのため、ステータコア２には、Ｕ相用、Ｖ相用、及びＷ相用のスロット２２が、周方向Ｃに沿って繰り返し現れるように配置されている。本例では、ステータコア２には、毎極毎相あたりのスロット数が「２」となるように、Ｕ相用の互いに隣接する２つのスロット２２と、Ｖ相用の互いに隣接する２つのスロット２２と、Ｗ相用の互いに隣接する２つのスロット２２とが、記載の順に周方向Ｃに沿って繰り返し現れるように形成されている。すなわち、各相について、隣接する２つのスロット２２からなる隣接スロット組が周方向Ｃに沿って６スロットピッチで配置されている。
【００３１】
上記のようなステータコア２の構成に合わせて、相コイル３１は、スロット２２内に配置される部分である導体辺部７１が、周方向Ｃに沿って６スロットピッチで配置された隣接スロット組に配置されるように構成されている。具体的には、図２に示すように、各重ね巻セット６を構成する重ね巻部３２の周方向Ｃ両側の導体辺部７１が、周方向Ｃに互いに６スロットピッチ分離れた一対のスロット２２に配置されるとともに、重ね巻部配設ピッチが１２スロットピッチとされている。よって、各重ね巻セット６が備える導体辺部７１は、周方向Ｃに沿って６スロットピッチで配置される。なお、上述したように、本例では、重ね巻部配設ピッチは９０度とされているため、１２スロットピッチは９０度に相当する。すなわち、本例では、１スロットピッチは７．５度に相当する。
【００３２】
そして、第二重ね巻セット６２は、図２に示すように、第一重ね巻セット６１に対して周第一方向Ｃ１側に１スロットピッチ分ずらして配置される。よって、第二重ね巻セット６２が備える導体辺部７１は、第一重ね巻セット６１が備える導体辺部７１が配置されたスロット２２に対して周第一方向Ｃ１側に隣接するスロット２２に配置される。また、第三重ね巻セット６３及び第四重ね巻セット６４は、それぞれ、図１に示すように、第一重ね巻セット６１に対して周第二方向Ｃ２側に、５スロットピッチ分及び６スロットピッチ分ずらして配置される。よって、第三重ね巻セット６３が備える導体辺部７１は、第二重ね巻セット６２が備える導体辺部７１と同じスロット２２に配置され、第四重ね巻セット６４が備える導体辺部７１は、第一重ね巻セット６１が備える導体辺部７１と同じスロット２２に配置される。
【００３３】
以上のように複数（本例では４つ）の重ね巻セット６を配置することで、各相コイル３１について、周方向Ｃに互いに１スロットピッチ分ずれた位置関係の２つの導体辺部７１が、周方向Ｃに沿って６スロットピッチで配置されることとなり、上記のようにスロット２２が配置されたステータコア２に各相コイル３１を適切に巻装することが可能となっている。
【００３４】
なお、本実施形態では、各スロット２２には、１０個の導体辺部７１が同じ周方向Ｃの位置に並ぶように径方向Ｒに重ねられて一列に配置される。すなわち、本例では、コイル３は１０層巻構造とされている。本明細書では、スロット２２内において径方向Ｒに配列される複数の導体辺部７１のそれぞれの径方向Ｒ位置を層で表す。具体的には、各スロット２２内における導体辺部７１の位置に関して、最も径外方向Ｒ２側の位置を第一層とし、そこから径内方向Ｒ１側に向かって順に第二層、第三層、・・・第十層とする。
【００３５】
ところで、上述した「円筒状のコア基準面２１」は、スロット２２の配置や構成に関して基準となる仮想的な面である。本実施形態では、図３に示すように、互いに周方向Ｃに隣接するスロット２２間に位置するティース２３の径内方向Ｒ１側の端面を含む仮想的な円筒状の面であるコア内周面を定義することができ、この円筒状のコア内周面を本発明における「円筒状のコア基準面２１」とすることができる。また、円筒状のコア内周面と同心であって、軸方向Ｌ視（軸方向Ｌに沿って見た場合）における断面形状が当該コア内周面の軸方向Ｌ視における断面形状と相似の関係にある円筒状の面（仮想面を含む）も、本発明における「円筒状のコア基準面２１」になり得る。例えば、後述する取付用突出部２４を除くステータコア２の外周面を「円筒状のコア基準面２１」とすることができる。
【００３６】
本実施形態では、図３に示すように、ステータコア２の外周面における周方向Ｃの複数箇所に、ケース等への取り付けのための取付用突出部２４が設けられている。取付用突出部２４は、ステータコア２の外周面の他の部分に対して径外方向Ｒ２側へ突出すると共に軸方向Ｌに延びるように形成された凸条部分である。この取付用突出部２４には、軸方向Ｌに貫通する取付用孔２５が形成されている。
【００３７】
そして、図示は省略するが、ステータ１（ステータコア２）の径内方向Ｒ１側には、永久磁石や電磁石を備えた界磁としてのロータが、ステータ１に対して相対回転可能に配置される。そして、ステータ１から発生する回転磁界によりロータが回転する。このように、本実施形態に係るステータ１は、インナロータ型で回転界磁型の回転電機用の電機子であるステータとされている。言い換えれば、ステータ１は、界磁としてのロータに対して径方向Ｒに対向配置されて当該ロータとともに回転電機を構成する。本実施形態では、径外方向Ｒ２側が、径方向Ｒにおける界磁とは反対側であり、本発明における「径方向反界磁側」に相当する。
【００３８】
また、本実施形態では、上述したように、重ね巻部配設ピッチは、９０度、言い換えれば、１２スロットピッチとされている。そして、本例では、重ね巻部配設ピッチは、ロータの磁極ピッチ（電気角π）の２倍（２磁極ピッチ）と等しい値に設定されている。すなわち、本例では、６スロットピッチ（４５度）がロータの１磁極ピッチに相当する。なお、ロータの磁極ピッチが６スロットピッチとは異なるＮスロットピッチ（Ｎは自然数）とされた構成においては、重ね巻部配設ピッチを２Ｎスロットピッチとすることができる。また、重ね巻部配設ピッチを、ロータの磁極ピッチの２倍とは異なる値に設定することも可能である。さらに、本例では、１スロットピッチが７．５度に相当し、ステータコア２には合計４８個のスロット２２が形成されているが、ステータコア２に形成されるスロット２２の総数は適宜変更可能である。
【００３９】
なお、ステータコア２は、例えば、円環板状の電磁鋼板を複数枚積層した積層構造体とし、或いは磁性材料の粉体（磁性材料を加圧成形してなる圧粉材）を主な構成要素として形成することができる。また、本実施形態では、ステータコア２には毎極毎相あたりのスロット数が「２」となるように複数のスロット２２が形成されているが、毎極毎相あたりのスロット数は適宜変更可能である。例えば、毎極毎相あたりのスロット数を「３」等とすることができる。当然ながら、相コイル３１が備える重ね巻セット６の個数は、毎極毎相あたりのスロット数に応じて適宜変更可能である。また、回転電機を駆動する交流電源の相数も適宜変更可能であり、例えば「１」、「２」、「４」、「６」等とすることができる。
【００４０】
２．重ね巻セットの構成
次に、本実施形態に係る相コイル３１が備える重ね巻セット６の構成について説明する。上記のように、周方向Ｃに沿って重ね巻部配設ピッチで配置された複数（本例では４つ）の重ね巻部３２と、当該重ね巻部３２の間を接続する複数（本例では３つ）のセット内周方向接続部５ａとが、重ね巻セット６を構成している。以下では、「重ね巻セット６内の重ね巻部３２」、及び「重ね巻セット６内のセット内周方向接続部５ａ」は、それぞれ、当該重ね巻セット６を構成する重ね巻部３２及びセット内周方向接続部５ａを意味する。
【００４１】
本実施形態では、重ね巻部３２を含む重ね巻セット６の全体が、複数のセグメント導体７を接合して構成されている。そして、セグメント導体７には、重ね巻部３２を構成する基本セグメント導体７ａと、周方向接続部５を構成する異形セグメント導体７ｂとが含まれる。以下、重ね巻セット６の構成について、セグメント導体７の基本構成、重ね巻部３２の構成、セット内周方向接続部５ａの構成、各重ね巻セット６１〜６４の構成の順に説明する。なお、重ね巻セット６の端部に接続されるセット端周方向接続部５ｂの構成については第３節で説明する。本実施形態では、基本セグメント導体７ａが本発明における「セグメント導体」に相当する
【００４２】
２−１．セグメント導体の基本構成
セグメント導体７の基本構成について図４及び図５を参照して説明する。なお、ここでは、基本セグメント導体７ａ（図４参照）と異形セグメント導体７ｂ（図５参照）との間の共通構成について説明する。基本セグメント導体７ａに特有の構成については、第２−２節で重ね巻部３２の構成とともに説明し、異形セグメント導体７ｂに特有の構成については、第２−３節でセット内周方向接続部５ａの構成とともに説明する。
【００４３】
セグメント導体７は、相コイル３１を複数に分割したものに相当する導体であり、複数のセグメント導体７の端部同士を接合することにより相コイル３１が構成される。本実施形態では、図４及び図５に示すように、セグメント導体７は、延在方向（通電方向に等しい）に直交する断面の形状が矩形状、より詳しくは角部を円弧状とした矩形状の線状導体で構成されている。また、セグメント導体７は、後述する屈曲部（第一屈曲部８１、第二屈曲部８２、第三屈曲部８３、オフセット屈曲部８）を除いて、基本的に、延在方向の位置にかかわらず同じ断面形状とされている。この線状導体を構成する材料は、例えば銅やアルミニウム等とすることができる。また、線状導体の表面は、異なるセグメント導体７と電気的に接続するための部分である接合部等の一部を除いて、樹脂等（例えばポリイミド等）からなる絶縁皮膜により被覆されている。本実施形態では、第一屈曲部８１が本発明における「周方向屈曲部」に相当する。
【００４４】
セグメント導体７は、スロット２２内に配置される一対の導体辺部７１と、当該一対の導体辺部７１の間をステータコア２の軸方向Ｌ外側で接続する導体渡り部７２と、導体渡り部７２とは軸方向Ｌ反対側において一対の導体辺部７１のそれぞれから延びてステータコア２から軸方向Ｌに突出する突出部７３と、を備えている。なお、本例では、導体渡り部７２はステータコア２に対して軸第二方向Ｌ２側に位置し、突出部７３はステータコア２に対して軸第一方向Ｌ１側に位置する。以下では、セグメント導体７が備える一対の突出部７３について、周第一方向Ｃ１側の導体辺部７１から延出する突出部７３を「周第一方向Ｃ１側の突出部７３」と呼び、周第二方向Ｃ２側の導体辺部７１から延出する突出部７３を「周第二方向Ｃ２側の突出部７３」と呼ぶ。
【００４５】
導体辺部７１は、ステータコア２のスロット２２に挿入されるセグメント導体７の部分であり、当該スロット２２の形状に合致する形状とされている。ここでは、導体辺部７１は、軸方向Ｌと平行に延びる直線状に形成されている。そして、導体辺部７１は、線状導体の延在方向に直交する矩形断面における短辺が径方向Ｒに平行となり、長辺が周方向Ｃに平行となる向きでスロット２２内に配置される。
【００４６】
セグメント導体７が備える一対の導体辺部７１は、当該セグメント導体７が基本セグメント導体７ａであるか異形セグメント導体７ｂであるかによらず、周方向Ｃに互いに６スロットピッチ（１磁極ピッチ）分離れた一対のスロット２２に配置される。そして、本例では、セグメント導体７が備える一対の導体辺部７１の内の周第一方向Ｃ１側の導体辺部７１が、周第二方向Ｃ２側の導体辺部７１に対して径外方向Ｒ２側にＭ層（Ｍは自然数）離れた層に配置される。詳細は後述するが、基本セグメント導体７ａと異形セグメント導体７ｂとではＭの値が異なり、基本セグメント導体７ａではＭが「１」とされ、異形セグメント導体７ｂではＭが「９」とされる。
【００４７】
突出部７３は、第一屈曲部８１と、第二屈曲部８２と、第一屈曲部８１と第二屈曲部８２との間の部分を構成する本体部７５と、を備えている。第一屈曲部８１は、本体部７５の延在方向を、導体辺部７１の延在方向に対して周方向Ｃに傾斜した方向とするための屈曲部である。言い換えれば、第一屈曲部８１は、先端部７４を導体辺部７１とは異なる周方向Ｃ位置とするための屈曲部である。そして、本体部７５の延在方向の傾斜角度は、第一屈曲部８１の屈曲角に応じて定まる。以下では、セグメント導体７の周第一方向Ｃ１側の突出部７３に形成された第一屈曲部８１、第二屈曲部８２、本体部７５、及び先端部７４を、それぞれ、「周第一方向Ｃ１側の第一屈曲部８１」、「周第一方向Ｃ１側の第二屈曲部８２」、「周第一方向Ｃ１側の本体部７５」、及び「周第一方向Ｃ１側の先端部７４」と呼ぶ。また、セグメント導体７の周第二方向Ｃ２側の突出部７３に形成された第一屈曲部８１、第二屈曲部８２、本体部７５、及び先端部７４を、それぞれ、「周第二方向Ｃ２側の第一屈曲部８１」、「周第二方向Ｃ２側の第二屈曲部８２」、「周第二方向Ｃ２側の本体部７５」、及び「周第二方向Ｃ２側の先端部７４」と呼ぶ。
【００４８】
ここで、第一屈曲部８１の屈曲角を、導体辺部５の延在方向（軸方向Ｌ）に平行にステータコア２から離れる側へ延びる方向（軸第一方向Ｌ１）を基準（０度）として規定すると、第一屈曲部８１の屈曲角は鋭角に設定される。そのため、本体部７５は、ステータコア２から軸方向Ｌに徐々に離れるように形成される。言い換えれば、本体部７５は、ステータコア２から軸方向Ｌに離れるに従って周方向Ｃのいずれか一方側に向かうように形成される。なお、第一屈曲部８１の屈曲角は、４５度以上９０度未満の角度に設定することが好ましく、６０度以上９０度未満の角度に設定することがより好ましい。本例では、セット端周方向接続部５ｂを構成するセグメント導体７を除き、セグメント導体７が備える一対の第一屈曲部８１は、屈曲角の大きさが互いに等しく設定されている。
【００４９】
第二屈曲部８２は、突出部７３の先端部７４の延在方向を、径方向Ｒに見て本体部７５の延在方向に対して傾斜した方向とするための屈曲部である。本例では、第二屈曲部８２は、先端部７４の延在方向を軸方向Ｌと平行な方向とするように形成されている。
【００５０】
本実施形態では、第一屈曲部８１及び第二屈曲部８２は、セグメント導体７が備える一対の突出部７３の双方に形成されている。すなわち、セグメント導体７が備える一対の突出部７３の双方が、導体辺部７１の延在方向に対して周方向Ｃに傾斜した方向に延びる本体部７５を備える。なお、本例では、本体部７５は軸方向Ｌ視で円弧状に形成されているが、本体部７５の軸方向Ｌ視での形状を、直線状（折れ線状を含む）とすることも可能である。また、本実施形態では、接合対象となる一対のセグメント導体７は、互いに径方向Ｒに隣接する先端部７４同士が径方向Ｒに接合される。
【００５１】
ところで、突出部７３の先端部７４は、基本的に、接合対象となるセグメント導体７が備える突出部７３の先端部７４と接合される。そのため、突出部７３の周方向Ｃの長さは、基本的に、当該突出部７３の延出元の導体辺部７１と、接合対象となるセグメント導体７の先端部７４との周方向Ｃの離間距離に応じて設定される。ここで、各部材の周方向Ｃの延在長さは、軸方向Ｌに直交する面に投影した際の周方向Ｃの長さである。本例では、セット端周方向接続部５ｂを構成するセグメント導体７を除き、突出部７３の周方向Ｃの長さは３スロットピッチ分に設定されている。
【００５２】
導体渡り部７２は、一対の第三屈曲部８３と、オフセット屈曲部８と、を備える。第三屈曲部８３は、導体辺部７１から軸第二方向Ｌ２側へ延びるセグメント導体７の部分を、導体辺部７１の延在方向に対して周方向Ｃに屈曲するための屈曲部である。第三屈曲部８３の屈曲角を、導体辺部５の延在方向（軸方向Ｌ）に平行にステータコア２から離れる側へ延びる方向（軸第二方向Ｌ２）を基準（０度）として規定すると、第三屈曲部８３の屈曲角は鋭角に設定される。なお、第三屈曲部８１の屈曲角は、４５度以上９０度未満の角度に設定することが好ましく、６０度以上９０度未満の角度に設定することがより好ましい。本例では、導体渡り部７２が備える一対の第三屈曲部８３は、屈曲角の大きさが互いに等しく設定されている。
【００５３】
また、周第一方向Ｃ１側の第三屈曲部８３の屈曲方向は周第二方向Ｃ２側とされ、周第一方向Ｃ１側の第三屈曲部８３とオフセット屈曲部８との間を構成する線状導体の部分は、当該第三屈曲部８３から周第二方向Ｃ２側へ向かうように延びる形状とされている。また、周第二方向Ｃ２側の第三屈曲部８３の屈曲方向は周第一方向Ｃ１側とされ、周第二方向Ｃ２側の第三屈曲部８３とオフセット屈曲部８との間を構成する線状導体の部分は、当該第三屈曲部８３から周第一方向Ｃ１側へ向かうように延びる形状とされている。
【００５４】
なお、第三屈曲部８３の屈曲角は鋭角とされており、周第一方向Ｃ１側の第三屈曲部８３とオフセット屈曲部８との間を構成する部分と、周第二方向Ｃ２側の第三屈曲部８３とオフセット屈曲部８との間を構成する部分との双方は、ステータコア２から軸方向Ｌに徐々に離れるように形成される。よって、図４及び図５に示すように、導体渡り部７２の径方向Ｒ視での形状はＶ字状となる。すなわち、本例では、セグメント導体７は、導体辺部７１と導体渡り部７２とを含む部分の径方向Ｒ視での形状がＵ字状のＵ字状セグメント導体とされている。
【００５５】
オフセット屈曲部８は、導体渡り部７２の周方向Ｃ中間位置（本例では周方向Ｃ中央位置）に形成され、延在方向が互いに異なる、オフセット屈曲部８に対して周第一方向Ｃ１側部分と、オフセット屈曲部８に対して周第二方向Ｃ２側部分とを接続する屈曲部である。上記のように、セグメント導体７が備える一対の導体辺部７１の内の周第一方向Ｃ１側の導体辺部７１は、周第二方向Ｃ２側の導体辺部７１に対して径外方向Ｒ２側にＭ層離れた層に配置される。また、本例では、第三屈曲部８３とオフセット屈曲部８との間の部分は、径方向Ｒ位置が延出元の導体辺部７１と同じであるとともに、軸方向Ｌ視で円弧状に形状されている。よって、オフセット屈曲部８は、延在方向が互いに異なるとともに径方向Ｒ位置が互いに異なる２つの部分を接続する屈曲部である。そのため、オフセット屈曲部８は、線状導体の延在方向を変えるための変向屈曲部と、線状導体の径方向Ｒ位置をオフセットするための変位屈曲部とを備えている。
【００５６】
具体的には、図４及び図５に示すように、オフセット屈曲部８は、周第二方向Ｃ２側から周第一方向Ｃ１側に向かって、線状導体の延在方向を軸方向Ｌに直交する面或いは周方向Ｃと平行な方向とするための変向屈曲部と、線状導体の径方向Ｒ位置を径外方向Ｒ２側にオフセットする変位屈曲部と、線状導体の延在方向を周第一方向Ｃ１側の第三屈曲部８３とオフセット屈曲部８との間の部分の延在方向と平行な方向とするための変向屈曲部と、を有している。詳細は後述するが、基本セグメント導体７ａと異形セグメント導体７ｂとでは、オフセット屈曲部８（変位屈曲部）による径方向Ｒのオフセット量が互いに異なる。なお、図４及び図５に示す例では、２つの変向屈曲部と１つの変位屈曲部の全てがそれぞれ異なる位置に形成されているが、これら３つの屈曲部の内の２つ或いは３つが一体的に或いは重複して形成された構成とすることもできる。
【００５７】
なお、このようなセグメント導体７は、第一屈曲部８１や第二屈曲部８２の形成前の状態、すなわち、突出部７３が導体辺部７１と平行に延びるように形成された状態で、ステータコア２に対して軸方向Ｌに挿入可能である。そして、本例では、第一屈曲部８１や第二屈曲部８２は、導体辺部７１と平行に延びるように形成された突出部７３を、導体辺部７１のスロット２２内への挿入後に屈曲して形成されたものとされている。
【００５８】
２−２．重ね巻部の構成
重ね巻部３２は、一対のスロット２２のそれぞれに複数の導体辺部７１が配置されて当該一対のスロット２２間に複数回巻回されて構成されている。本実施形態では、重ね巻部３２は、スロット２２に対して軸方向Ｌに挿入可能な複数の基本セグメント導体７ａを用いて、当該基本セグメント導体７ａのステータコア２から軸方向Ｌに突出する突出部７３同士を接合して構成されている。なお、基本セグメント導体７は、重ね巻部３２を一周毎に複数に分割したものに相当する導体である。
【００５９】
基本セグメント導体７ａが備える一対の導体辺部７１は、周方向Ｃに互いに６スロットピッチ分離れた一対のスロット２２内において、互いに隣接する層となるように配置される。具体的には、基本セグメント導体７ａが備える一対の導体辺部７１の内の周第一方向Ｃ１側の導体辺部７１が、周第二方向Ｃ２側の導体辺部７１に対して径外方向Ｒ２側に１層離れた層（すなわち、隣接した層）に配置される。よって、基本セグメント導体７ａの導体渡り部７２に形成されたオフセット屈曲部８である基本オフセット屈曲部８ａは、径方向Ｒのオフセット量が線状導体の径方向Ｒの厚さ分（１層分）に設定されている。
【００６０】
基本セグメント導体７ａが備える一対の突出部７３は、図４に示すように、延出元の導体辺部７１から周方向Ｃにおける互いに近づく側に延びる形状とされている。具体的には、周第一方向Ｃ１側の第一屈曲部８１の屈曲方向は周第二方向Ｃ２側とされ、周第一方向Ｃ１側の突出部７３は、延出元の導体辺部７１から周第二方向Ｃ２側へ向かうように延びる形状とされている。すなわち、基本セグメント導体７ａの周第一方向Ｃ１側の突出部７３は、延出元の導体辺部７１の延在方向に対して周第二方向Ｃ２側に傾斜した本体部７５を備える。また、周第二方向Ｃ２側の第一屈曲部８１の屈曲方向は、周第一方向Ｃ１側とされ、周第二方向Ｃ２側の突出部７３は、延出元の導体辺部７１から周第一方向Ｃ１側へ向かうように延びる形状とされている。すなわち、基本セグメント導体７ａの周第二方向Ｃ２側の突出部７３は、延出元の導体辺部７１の延在方向に対して周第一方向Ｃ１側に傾斜した本体部７５を備える。そして、基本セグメント導体７ａでは、周第一方向Ｃ１側の第一屈曲部８１の屈曲角と、周第二方向Ｃ２側の第一屈曲部８１の屈曲角とが、互いに同じ大きさに設定されている。
【００６１】
本実施形態では、基本セグメント導体７ａが備える一対の突出部７３は、周方向Ｃの長さが互いに等しく設定されている。具体的には、当該一対の突出部７３は、周方向Ｃの長さが共に３スロットピッチ分に設定されている。また、基本セグメント導体７ａが備える一対の導体辺部７１は、周方向Ｃに互いに６スロットピッチ分離れた一対のスロット２２に配置される。よって、図４に示すように、基本セグメント導体７ａが備える一対の突出部７３のそれぞれの先端部７４は、同じ周方向Ｃ位置（具体的には基本セグメント導体７ａの周方向Ｃ中央部分）に並ぶように径方向Ｒに重ねられて配置される。
【００６２】
重ね巻部３２は、このような構成の基本セグメント導体７ａを複数用いて形成されている。本例では、図２及び後に参照する図６、図７に示すように、重ね巻部３２は、周方向Ｃ両側の導体辺部７１のそれぞれが互いに同じスロット２２に配置された４つの基本セグメント導体７ａを用いて形成されている。なお、重ね巻部３２を構成する４つの基本セグメント導体７ａは、第一屈曲部８１、第二屈曲部８２、第三屈曲部８３、及び基本オフセット屈曲部８ａのそれぞれが互いに同じ形状に形成されており、当該４つの基本セグメント導体７ａは、径方向Ｒ視の形状が互いに同一とされている。
【００６３】
また、４つの基本セグメント導体７ａは、径方向Ｒに隣接する２つの基本セグメント導体７ａに関して、径内方向Ｒ１側の基本セグメント導体７ａの周第一方向Ｃ１側の導体辺部７１が、径外方向Ｒ２側の基本セグメント導体７ａの周第二方向Ｃ２側の導体辺部７１に対して径内方向Ｒ１側に隣接する層に配置されるように、径方向Ｒの位置が定められている。以下では、重ね巻部３２を構成する基本セグメント導体７ａの周第一方向Ｃ１側の導体辺部７１及び当該導体辺部７１から延出する突出部７３を、それぞれ、「重ね巻部３２内の周第一方向Ｃ１側の導体辺部７１」及び「重ね巻部３２内の周第一方向Ｃ１側の突出部７３」と呼び、重ね巻部３２を構成する基本セグメント導体７ａの周第二方向Ｃ２側の導体辺部７１及び当該導体辺部７１から延出する突出部７３を、それぞれ、「重ね巻部３２内の周第二方向Ｃ２側の導体辺部７１」及び「重ね巻部３２内の周第二方向Ｃ２側の突出部７３」と呼ぶ。
【００６４】
そして、径方向Ｒに隣接する基本セグメント導体７ａの先端部７４同士が順次接合されることで、重ね巻部３２が形成される。具体的には、図２及び後に参照する図６、図７に示すように、径内方向Ｒ１側の基本セグメント導体７ａの周第一方向Ｃ１側の突出部７３の先端部７４と、径外方向Ｒ２側の基本セグメント導体７ａの周第二方向Ｃ２側の突出部７３の先端部７４とが順次接合されることで、一対のスロット２２間を巻回する重ね巻部３２が形成される。本例では、４つの基本セグメント導体７ａにより一対のスロット２２間を４回巻回する重ね巻部３２が構成される。
【００６５】
なお、重ね巻部３２内で最も径内方向Ｒ１側に配置される基本セグメント導体７ａの周第二方向Ｃ２側の突出部７３の先端部７４が、当該重ね巻部３２の径内方向Ｒ１側の端部を形成する。また、重ね巻部３２内で最も径外方向Ｒ２側に配置される基本セグメント導体７ａの周第一方向Ｃ１側の突出部７３の先端部７４が、当該重ね巻部３２の径外方向Ｒ２側の端部を形成する。そして、これらの重ね巻部３２の径内方向Ｒ１側の端部や径外方向Ｒ２側の端部は、異形セグメント導体７ｂ等の基本セグメント導体７ａ以外の部材と接合される。
【００６６】
２−３．セット内周方向接続部の構成
セット内周方向接続部５ａは、重ね巻セット６の内部で当該重ね巻セット６が有する重ね巻部３２同士を接続する周方向接続部５である。以下では、対象とするセット内周方向接続部５ａに対して、当該セット内周方向接続部５ａにより接続される一対の重ね巻部３２の内の周第一方向Ｃ１側に位置するものを「第一接続対象重ね巻部」と呼び、当該一対の重ね巻部３２の内の周第二方向Ｃ２側に位置するものを「第二接続対象重ね巻部」と呼ぶ。
【００６７】
セット内周方向接続部５ａは、図５に示すように、異形セグメント導体７ｂを用いて構成されている。なお、図５は、図２から周方向接続部５（セット内周方向接続部５ａ及びセット端周方向接続部５ｂ）のみを抜き出した図面であり、セット端周方向接続部５ｂにハッチングを施して強調して示している。
【００６８】
異形セグメント導体７ｂが備える一対の導体辺部７１は、周方向Ｃに互いに６スロットピッチ分離れた一対のスロット２２内において、互いに９層離れた層となるように配置されている。具体的には、異形セグメント導体７ｂが備える一対の導体辺部７１の内の周第一方向Ｃ１側の導体辺部７１が、最も径外方向Ｒ２側の層である第一層に配置され、周第二方向Ｃ２側の導体辺部７１が、最も径内方向Ｒ１側の層である第十層に配置されている。よって、異形セグメント導体７ｂの導体渡り部７２に形成されたオフセット屈曲部８である異形オフセット屈曲部８ｂは、径方向Ｒのオフセット量が線状導体の径方向Ｒの厚さの９倍分（９層分）に設定されている。
【００６９】
異形セグメント導体７ｂが備える一対の突出部７３は、図５に示すように、延出元の導体辺部７１から周方向Ｃにおける互いに離間する側に延びる形状とされている。具体的には、周第一方向Ｃ１側の第一屈曲部８１の屈曲方向は周第一方向Ｃ１側とされ、周第一方向Ｃ１側の突出部７３は、延出元の導体辺部７１から周第一方向Ｃ１側へ向かうように延びる形状とされている。すなわち、異形セグメント導体７ｂの周第一方向Ｃ１側の突出部７３は、延出元の導体辺部７１の延在方向に対して周第一方向Ｃ１側に傾斜した本体部７５を備える。また、周第二方向Ｃ２側の第一屈曲部８１の屈曲方向は、周第二方向Ｃ２側とされ、周第二方向Ｃ２側の突出部７３は、延出元の導体辺部７１から周第二方向Ｃ２側へ向かうように延びる形状とされている。すなわち、異形セグメント導体７ｂの周第二方向Ｃ２側の突出部７３は、延出元の導体辺部７１の延在方向に対して周第二方向Ｃ２側に傾斜した本体部７５を備える。
【００７０】
図５に示すように、セット内周方向接続部５ａを構成する異形セグメント導体７ｂについては、周第一方向Ｃ１側の第一屈曲部８１の屈曲角と、周第二方向Ｃ２側の第一屈曲部８１の屈曲角とが、互いに同じ大きさに設定されている。これに対し、後述するように、セット端周方向接続部５ｂを構成する異形セグメント導体７ｂでは、周第一方向Ｃ１側の第一屈曲部８１の屈曲角と、周第二方向Ｃ２側の第一屈曲部８１の屈曲角とが、互いに異なる大きさに設定される。具体的には、セット端周方向接続部５ｂを構成する異形セグメント導体７ｂの周第二方向Ｃ２側の第一屈曲部８１の屈曲角は、セット内周方向接続部５ａを構成する異形セグメント導体７ｂの第一屈曲部８１の屈曲角と同一に設定されている。これに対し、セット端周方向接続部５ｂを構成する異形セグメント導体７ｂの周第一方向Ｃ１側の第一屈曲部８１の屈曲角は、セット内周方向接続部５ａを構成する異形セグメント導体７ｂの第一屈曲部８１の屈曲角とは異なる角度に設定されている。
【００７１】
そして、セット内周方向接続部５ａの周第一方向Ｃ１側の端部が、第一接続対象重ね巻部の径外方向Ｒ２側の端部に接合され、セット内周方向接続部５ａの周第二方向Ｃ２側の端部が、第二接続対象重ね巻部の径内方向Ｒ１側の端部に接合される。すなわち、第一接続対象重ね巻部と第二接続対象重ね巻部とは、径方向Ｒの互いに反対側の端部同士がセット内周方向接続部５ａにより接続される。
【００７２】
具体的には、図２に示すように、セット内周方向接続部５ａを構成する異形セグメント導体７ｂの周第一方向Ｃ１側の導体辺部７１が、第一接続対象重ね巻部を構成する基本セグメント導体７ａの周第二方向Ｃ２側の導体辺部７１と同じスロット２２の第一層に配置される。そして、当該異形セグメント導体７ｂの周第一方向Ｃ１側の突出部７３の先端部７４が、第一接続対象重ね巻部内で最も径外方向Ｒ２側に配置された基本セグメント導体７ａの周第一方向Ｃ１側の突出部７３の先端部７４と接合される。
【００７３】
なお、図２に示すように、セット内周方向接続部５ａを構成する異形セグメント導体７ｂの周第一方向Ｃ１側の突出部７３は、第一接続対象重ね巻部を構成する基本セグメント導体７ａの周第二方向Ｃ２側の突出部７３と、径方向Ｒ視の形状が互いに同一となるように形成されている。すなわち、セット内周方向接続部５ａを構成する異形セグメント導体７ｂの周第一方向Ｃ１側の第一屈曲部８１及び第二屈曲部８２は、第一接続対象重ね巻部を構成する基本セグメント導体７ａの周第二方向Ｃ２側の第一屈曲部８１及び第二屈曲部８２と同じ形状に形成されている。
【００７４】
一方、セット内周方向接続部５ａを構成する異形セグメント導体７ｂの周第二方向Ｃ２側の導体辺部７１が、第二接続対象重ね巻部を構成する基本セグメント導体７ａの周第一方向Ｃ１側の導体辺部７１と同じスロット２２の第十層に配置される。そして、当該異形セグメント導体７ｂの周第二方向Ｃ２側の突出部７３の先端部７４が、第二接続対象重ね巻部内で最も径内方向Ｒ１側に配置された基本セグメント導体７ａの周第二方向Ｃ２側の突出部７３の先端部７４と接合される。
【００７５】
なお、図２に示すように、セット内周方向接続部５ａを構成する異形セグメント導体７ｂの周第二方向Ｃ２側の突出部７３は、第二接続対象重ね巻部を構成する基本セグメント導体７ａの周第一方向Ｃ１側の突出部７３と、径方向Ｒ視の形状が互いに同一となるように形成されている。すなわち、セット内周方向接続部５ａを構成する異形セグメント導体７ｂの周第二方向Ｃ２側の第一屈曲部８１及び第二屈曲部８２が、第二接続対象重ね巻部を構成する基本セグメント導体７ａの周第一方向Ｃ１側の第一屈曲部８１及び第二屈曲部８２と同じ形状に形成されている。
【００７６】
２−４．各重ね巻セットの構成
次に、相コイル３１が備える各重ね巻セット６１〜６４の構成について説明する。図６は第一重ね巻セット６１及び第二重ね巻セット６２の配線状態を説明するための配線図であり、図７は第三重ね巻セット６３及び第四重ね巻セット６４の配線状態を説明するための配線図である。なお、図６及び図７においては、同相のスロット２２のみを示してあり、スロット２２内における図中最上部が第一層であり、スロット２２内における図中最下部が第十層である。また、スロット２２の内部に記された数字は、動力線と中性点との間の電流の経路に沿って、動力線側（電源側）から順にセグメント導体７のそれぞれに「１」から順に付した識別番号である。そして、当該識別番号から図中横方向に延出する線分は、実線がステータコア２に対して軸第一方向Ｌ１側に配置された突出部７３を表し、破線がステータコア２に対して軸第二方向Ｌ２側に配置された導体渡り部７２を表している。そして、実線の線分同士を接続する丸印が、突出部７３の先端部７４同士の接合部を表している。
【００７７】
図６（ａ）に示すように、第一重ね巻セット６１は、識別番号が「２」から「２０」までの１９個のセグメント導体７により構成されている。具体的には、識別番号が「２」から「５」までのセグメント導体７（基本セグメント導体７ａ）が１つの重ね巻部３２を構成し、識別番号が「７」から「１０」までのセグメント導体７（基本セグメント導体７ａ）が１つの重ね巻部３２を構成し、識別番号が「１２」から「１５」までのセグメント導体７（基本セグメント導体７ａ）が１つの重ね巻部３２を構成し、識別番号が「１７」から「２０」までのセグメント導体７（基本セグメント導体７ａ）が１つの重ね巻部３２を構成している。このように、第一重ね巻セット６１は、４つの重ね巻部３２を備え、周方向Ｃに隣接する重ね巻部３２の間が、識別番号が「６」、「１１」、「１６」のセグメント導体７（異形セグメント導体７ｂ）が構成するセット内周方向接続部５ａにより接続されている。なお、上述したように、重ね巻部３２は周方向Ｃに沿って一定ピッチ（本例では２磁極ピッチ）で配置されている。
【００７８】
そして、識別番号が「１」のセグメント導体７（異形セグメント導体７ｂ）が、第一重ね巻セット６１の端部（本例では、識別番号が「２」のセグメント導体７の周第二方向Ｃ２側の突出部７３の先端部７４）を動力線に接続するためのセット端周方向接続部５ｂ（第一セット端周方向接続部５１）を構成している。すなわち、第一セット端周方向接続部５１を形成する部材（識別番号が「１」のセグメント導体７）もコイルとして機能する。なお、第一重ね巻セット６１の第一セット端周方向接続部５１が接続される端部は、第二セット端周方向接続部５２との接続部（識別番号が「２０」のセグメント導体７の周第一方向Ｃ１側の突出部７３の先端部７４）とは反対側の端部である。
【００７９】
図６（ｂ）に示すように、第二重ね巻セット６２は、識別番号が「２２」から「４０」までの１９個のセグメント導体７により構成されている。なお、第二重ね巻セット６２は、周方向Ｃの位置を除けば第一重ね巻セット６１と同様に構成されているため、特に説明しない点については第一重ね巻セット６１と同様とする。後述する第三重ね巻セット６３及び第四重ね巻セット６４についても同様である。
【００８０】
上述したように、第二重ね巻セット６２は、第一重ね巻セット６１に対して周第一方向Ｃ１側に１スロットピッチ分ずらして配置されている。そして、識別番号が「２１」のセグメント導体７（異形セグメント導体７ｂ）が、第一重ね巻セット６１と第二重ね巻セット６２とを接続するセット端周方向接続部５ｂ（第二セット端周方向接続部５２）を構成している。すなわち、第二セット端周方向接続部５２を形成する部材（識別番号が「２１」のセグメント導体７）もコイルとして機能する。具体的には、第二セット端周方向接続部５２は、第一重ね巻セット６１の端部（本例では、識別番号が「２０」のセグメント導体７の周第一方向Ｃ１側の突出部７３の先端部７４）と、第二重ね巻セット６２の端部（本例では、識別番号が「２２」のセグメント導体７の周第二方向Ｃ２側の突出部７３の先端部７４）とを接続している。
【００８１】
ここで、第一重ね巻セット６１と第二重ね巻セット６２とに着目すると、本実施形態では、第一重ね巻セット６１及び第二重ね巻セット６２の内の一方が本発明における「第一コイル部」に相当し、他方が本発明における「第二コイル部」に相当する。そして、本実施形態では、第一重ね巻セット６１、第一セット端周方向接続部５１、及び第二セット端周方向接続部５２が、それぞれ、本発明における「対象コイル部」、「第二周方向接続部」、及び「第一周方向接続部」に相当する。
【００８２】
図７（ａ）に示すように、第三重ね巻セット６３は、識別番号が「４１」から「５９」までの１９個のセグメント導体７により構成されている。上述したように、第三重ね巻セット６３は、第一重ね巻セット６１に対して周第二方向Ｃ２側に５スロットピッチ分ずらして配置されている。言い換えれば、第三重ね巻セット６３は、第二重ね巻セット６２に対して周第二方向Ｃ２側に６スロットピッチ分ずらして配置されている。よって、図６（ｂ）及び図７（ａ）に示すように、第二重ね巻セット６２の導体辺部７１と、第三重ね巻セット６３の導体辺部７１とは、同じスロット２２内において径方向Ｒに交互に配置される。すなわち、第二重ね巻セット６２と第三重ね巻セット６３とは、導体辺部７１が互いに同じスロット２２内において互いに隣接する層に配置される。なお、第二重ね巻セット６２の端部（本例では、識別番号が「４０」のセグメント導体７の周第一方向Ｃ１側の突出部７３の先端部７４）と、第三重ね巻セット６３の端部（本例では、識別番号が「４１」のセグメント導体７の周第一方向Ｃ１側の突出部７３の先端部７４）とが、接続部材９０により接続されている。
【００８３】
図７（ｂ）に示すように、第四重ね巻セット６４は、識別番号が「６１」から「７９」までの１９個のセグメント導体７により構成されている。上述したように、第四重ね巻セット６４は、第一重ね巻セット６１に対して周第二方向Ｃ２側に６スロットピッチ分ずらして配置されている。よって、図６（ａ）及び図７（ｂ）に示すように、第一重ね巻セット６１の導体辺部７１と、第四重ね巻セット６４の導体辺部７１とは、同じスロット２２内において径方向Ｒに交互に配置される。すなわち、第一重ね巻セット６１と第四重ね巻セット６４とは、導体辺部７１が互いに同じスロット２２内において互いに隣接する層に配置される。
【００８４】
そして、識別番号が「６０」のセグメント導体７（異形セグメント導体７ｂ）が、第三重ね巻セット６３と第四重ね巻セット６４とを接続するセット端周方向接続部５ｂ（第三セット端周方向接続部５３）を構成している。すなわち、第三セット端周方向接続部５３を形成する部材（識別番号が「６０」のセグメント導体７）もコイルとして機能する。具体的には、第三セット端周方向接続部５３は、第三重ね巻セット６３の端部（本例では、識別番号が「５９」のセグメント導体７の周第二方向Ｃ２側の突出部７３の先端部７４）と、第四重ね巻セット６４の端部（本例では、識別番号が「６１」のセグメント導体７の周第一方向Ｃ１側の突出部７３の先端部７４）とを接続している。
【００８５】
また、識別番号が「８０」のセグメント導体７（異形セグメント導体７ｂ）が、第四重ね巻セット６４の端部（本例では、識別番号が「７９」のセグメント導体７の周第二方向Ｃ２側の突出部７３の先端部７４）を中性点に接続するためのセット端周方向接続部５ｂ（第四セット端周方向接続部５４）を構成している。すなわち、第四セット端周方向接続部５４を形成する部材（識別番号が「８０」のセグメント導体７）もコイルとして機能する。なお、第四重ね巻セット６４の第四セット端周方向接続部５４が接続される端部は、第三セット端周方向接続部５３との接続部（識別番号が「６１」のセグメント導体７の周第一方向Ｃ１側の突出部７３の先端部７４）とは反対側の端部である。
【００８６】
ここで、第三重ね巻セット６３と第四重ね巻セット６４とに着目すると、本実施形態では、第三重ね巻セット６３及び第四重ね巻セット６４の内の一方が本発明における「第一コイル部」に相当し、他方が本発明における「第二コイル部」に相当する。そして、本実施形態では、第四重ね巻セット６４、第三セット端周方向接続部５３、及び第四セット端周方向接続部５４が、それぞれ、本発明における「対象コイル部」、「第一周方向接続部」、及び「第二周方向接続部」に相当する。
【００８７】
なお、上述したように、本実施形態では、第一セット端周方向接続部５１、第二セット端周方向接続部５２、第三セット端周方向接続部５３、及び第四セット端周方向接続部５４の全てがコイルとして機能するように配置されており、これらのセット端周方向接続部をコイルを形成しない部材で形成する場合に比べ、コイルエンド部の小型化が図られている。
【００８８】
３．セット端周方向接続部の構成
次に、本発明の要部であるセット端周方向接続部５ｂの構成について説明する。なお、上記のように、セット端周方向接続部５ｂは、セット内周方向接続部５ａと同様、異形セグメント導体７ｂにより構成されている。以下では、セット端周方向接続部５ｂを構成する異形セグメント導体７ｂに特有の構成を中心に説明し、特に説明しない点については、セット内周方向接続部５ａを構成する異形セグメント導体７ｂと同様とする。また、以下では、対象とするセット端周方向接続部５ｂに対して、当該セット端周方向接続部５ｂが端部に接続される重ね巻部３２を「接続対象セット端重ね巻部」と呼ぶ。また、対象とするセット端周方向接続部５ｂの両端が重ね巻部３２に接続される場合には、当該対象とするセット端周方向接続部５ｂに対して、一対の接続対象セット端重ね巻部の内の周第一方向Ｃ１側に位置するものを「第一接続対象セット端重ね巻部」と呼び、当該一対の重ね巻部３２の内の周第二方向Ｃ２側に位置するものを「第二接続対象セット端重ね巻部」と呼ぶ。
【００８９】
第一セット端周方向接続部５１は、上述したように、第一重ね巻セット６１の端部を動力線に接続するための周方向接続部５である。本例では、図２及び図６（ａ）に示すように、第一セット端周方向接続部５１を構成する異形セグメント導体７ｂ（識別番号「１」のセグメント導体７）の周第二方向Ｃ２側の導体辺部７１は、接続対象セット端重ね巻部（識別番号「２」から「５」までのセグメント導体７が構成する重ね巻部３２）内の周第一方向Ｃ１側の導体辺部７１と同じスロット２２の第十層に配置される。そして、当該異形セグメント導体７ｂの周第二方向Ｃ２側の突出部７３の先端部７４が、当該接続対象セット端重ね巻部内で最も径内方向Ｒ１側に配置された基本セグメント導体７ａ（識別番号「２」のセグメント導体７）の周第二方向Ｃ２側の突出部７３の先端部７４と接合される。
【００９０】
なお、第一セット端周方向接続部５１を構成する異形セグメント導体７ｂの周第二方向Ｃ２側の突出部７３は、接続対象セット端重ね巻部を構成する基本セグメント導体７ａの周第一方向Ｃ１側の突出部７３と、径方向Ｒ視の形状が互いに同一となるように形成されている。すなわち、第一セット端周方向接続部５１を構成する異形セグメント導体７ｂの周第二方向Ｃ２側の第一屈曲部８１及び第二屈曲部８２は、接続対象セット端重ね巻部を構成する基本セグメント導体７ａの周第一方向Ｃ１側の第一屈曲部８１及び第二屈曲部８２と同じ形状に形成されている。
【００９１】
一方、図２及び図６（ａ）に示すように、第一セット端周方向接続部５１を構成する異形セグメント導体７ｂ（識別番号「１」のセグメント導体７）の周第一方向Ｃ１側の導体辺部７１は、接続対象セット端重ね巻部に対して周第一方向Ｃ１側に隣接する当該接続対象セット端重ね巻部と同じ重ね巻セット６（すなわち第一重ね巻セット６１）を構成する重ね巻部３２（識別番号「１７」から「２０」までのセグメント導体７が構成する重ね巻部３２。以下単に「接続対象隣接重ね巻部」という。）内の、周第二方向Ｃ２側の導体辺部７１と同じスロット２２の第一層に配置される。すなわち、第一セット端周方向接続部５１を構成する異形セグメント導体７ｂの一対の導体辺部７１、すなわち、第一セット端周方向接続部５１が備える一対の導体辺部７１は、周方向Ｃに互いに６スロットピッチ分離れた一対のスロット２２内において、互いに９層離れた層となるように配置される。そして、当該異形セグメント導体７ｂの周第一方向Ｃ１側の突出部７３の先端部７４が、動力線（電源）に接続される。
【００９２】
なお、図２に示すように、第一セット端周方向接続部５１を構成する異形セグメント導体７ｂの周第一方向Ｃ１側の突出部７３は、接続対象隣接重ね巻部内の周第二方向Ｃ２側の突出部７３と、径方向Ｒ視の形状が互いに異なるように形成されている。具体的には、第一セット端周方向接続部５１を構成する異形セグメント導体７ｂの周第一方向Ｃ１側の突出部７３は、接続対象隣接重ね巻部内の周第二方向Ｃ２側の突出部７３に対して、第一屈曲部８１の屈曲角が大きく形成されているとともに、延出元の導体辺部７１に対する先端部７４の周方向Ｃの離間距離が長く形成されている。
【００９３】
第二屈曲部８２の屈曲角は、本例では先端部７４の延在方向を軸方向Ｌと平行な方向とするように形成されるため、第二屈曲部８２の屈曲角は第一屈曲部８１の屈曲角に応じて定まる。このように、第一セット端周方向接続部５１を構成する異形セグメント導体７ｂでは、周第一方向Ｃ１側の第一屈曲部８１の屈曲角と、周第二方向Ｃ２側の第一屈曲部８１の屈曲角とが、互いに異なる大きさに設定されているとともに、周第一方向Ｃ１側の第二屈曲部８２の屈曲角と、周第二方向Ｃ２側の第二屈曲部８２の屈曲角とが、互いに異なる大きさに設定されている。
【００９４】
具体的には、第一セット端周方向接続部５１を構成する異形セグメント導体７ｂの周第一方向Ｃ１側の先端部７４は、接続対象隣接重ね巻部を構成する基本セグメント導体７ａの周第二方向Ｃ２側の先端部７４に対して、所定の周方向Ｃの長さ（本例では、０．５スロットピッチ分の周方向Ｃの長さ）だけ周第一方向Ｃ１側に配置される。すなわち、接続対象隣接重ね巻部内の周第二方向Ｃ２側の突出部７３の周方向Ｃの長さが３スロットピッチ分であるのに対し、第一セット端周方向接続部５１を構成する異形セグメント導体７ｂの周第一方向Ｃ１側の突出部７３の周方向Ｃの長さは、３スロットピッチ分より長く、具体的には、本例では３．５スロットピッチ分に設定されている。
【００９５】
第二セット端周方向接続部５２は、上述したように、第一重ね巻セット６１の端部と第二重ね巻セット６２の端部とを接続するための周方向接続部５である。本例では、図２及び図６に示すように、第二セット端周方向接続部５２を構成する異形セグメント導体７ｂ（識別番号「２１」のセグメント導体７）の周第二方向Ｃ２側の導体辺部７１は、第二接続対象セット端重ね巻部（識別番号「２２」から「２５」までのセグメント導体７が構成する重ね巻部３２）内の周第一方向Ｃ１側の導体辺部７１と同じスロット２２の第十層に配置される。そして、当該異形セグメント導体７ｂの周第二方向Ｃ２側の突出部７３の先端部７４が、当該第二接続対象セット端重ね巻部内で最も径内方向Ｒ１側に配置された基本セグメント導体７ａ（識別番号「２２」のセグメント導体７）の周第二方向Ｃ２側の突出部７３の先端部７４と接合される。
【００９６】
なお、第二セット端周方向接続部５２を構成する異形セグメント導体７ｂの周第二方向Ｃ２側の突出部７３は、第二接続対象セット端重ね巻部を構成する基本セグメント導体７ａの周第一方向Ｃ１側の突出部７３と、径方向Ｒ視の形状が互いに同一となるように形成されている。すなわち、第二セット端周方向接続部５２を構成する異形セグメント導体７ｂの周第二方向Ｃ２側の第一屈曲部８１及び第二屈曲部８２は、第二接続対象セット端重ね巻部を構成する基本セグメント導体７ａの周第一方向Ｃ１側の第一屈曲部８１及び第二屈曲部８２と同じ形状に形成されている。
【００９７】
一方、図２及び図６に示すように、第二セット端周方向接続部５２を構成する異形セグメント導体７ｂ（識別番号「２１」のセグメント導体７）の周第一方向Ｃ１側の導体辺部７１は、第一接続対象セット端重ね巻部（識別番号「１７」から「２０」までのセグメント導体７が構成する重ね巻部３２）内の周第二方向Ｃ２側の導体辺部７１が配置されるスロット２２に対して周第一方向Ｃ１側に１スロットピッチ分ずれたスロット２２の第一層に配置される。すなわち、第二セット端周方向接続部５２を構成する異形セグメント導体７ｂの周第一方向Ｃ１側の導体辺部７１は、第二重ね巻セット６２を構成する重ね巻部３２（識別番号「３７」から「４０」までのセグメント導体７が構成する重ね巻部３２）内の周第二方向Ｃ２側の導体辺部７１が配置されるスロット２２の第一層に配置される。
【００９８】
上記のような構成を採用することで、周方向Ｃに互いに１１スロットピッチ分ずらして配置された第一重ね巻セット６１内の第一接続対象セット端重ね巻部と、第二重ね巻セット６２内の第二接続対象セット端重ね巻部とを接続する第二セット端周方向接続部５２を、一対の導体辺部７１の距離が他の周方向接続部５と同様に６スロットピッチ分の異形セグメント導体７ｂで構成することを可能としている。具体的には、第二セット端周方向接続部５２を構成する異形セグメント導体７ｂの一対の導体辺部７１、すなわち、第二セット端周方向接続部５２が備える一対の導体辺部７１は、周方向Ｃに互いに６スロットピッチ分離れた一対のスロット２２において、互いに９層離れた層となるように配置される。そして、当該異形セグメント導体７ｂの周第一方向Ｃ１側の突出部７３の先端部７４が、第一接続対象セット端重ね巻部内で最も径外方向Ｒ２側に配置された基本セグメント導体７ａ（識別番号２０のセグメント導体７）の周第一方向Ｃ１側の突出部７３の先端部７４と接合される。
【００９９】
なお、図２に示すように、第二セット端周方向接続部５２を構成する異形セグメント導体７ｂの周第一方向Ｃ１側の突出部７３は、第一接続対象セット端重ね巻部内の周第二方向Ｃ２側の突出部７３と、径方向Ｒ視の形状が互いに異なるように形成されている。具体的には、第二セット端周方向接続部５２を構成する異形セグメント導体７ｂの周第一方向Ｃ１側の突出部７３は、第一接続対象セット端重ね巻部内の周第二方向Ｃ２側の突出部７３に対して、第一屈曲部８１の屈曲角が小さく形成されているとともに、延出元の導体辺部７１に対する先端部７４の周方向Ｃの離間距離が短く形成されている。
【０１００】
第二屈曲部８２の屈曲角は、本例では先端部７４の延在方向を軸方向Ｌと平行な方向とするように形成されるため、第二屈曲部８２の屈曲角は第一屈曲部８１の屈曲角に応じて定まる。このように、第二セット端周方向接続部５２を構成する異形セグメント導体７ｂでは、周第一方向Ｃ１側の第一屈曲部８１の屈曲角と、周第二方向Ｃ２側の第一屈曲部８１の屈曲角とが、互いに異なる大きさに設定されているとともに、周第一方向Ｃ１側の第二屈曲部８２の屈曲角と、周第二方向Ｃ２側の第二屈曲部８２の屈曲角とが、互いに異なる大きさに設定されている。
【０１０１】
具体的には、第一接続対象セット端重ね巻部内の周第二方向Ｃ２側の突出部７３の周方向Ｃの長さが３スロットピッチ分であるのに対し、第二セット端周方向接続部５２を構成する異形セグメント導体７ｂの周第一方向Ｃ１側の突出部７３の周方向Ｃの長さは２スロットピッチ分に設定されている。これにより、第二セット端周方向接続部５２を構成する異形セグメント導体７ｂの周第一方向Ｃ１側の導体辺部７１が配置されるスロット２２が、第一接続対象セット端重ね巻部内の周第二方向Ｃ２側の導体辺部７１が配置されるスロット２２に対して周第一方向Ｃ１側に１スロットピッチ分ずれたスロット２２の第一層に配置される構成において、第一接続対象セット端重ね巻部の構成を当該第一接続対象セット端重ね巻部が構成する重ね巻セット６内のその他の重ね巻部３２と同一にしつつ、第二セット端周方向接続部５２を第一接続対象セット端重ね巻部に接続することが可能となっている。
【０１０２】
ところで、上記のように、第一セット端周方向接続部５１が備える一対の導体辺部７１、及び第二セット端周方向接続部５２が備える一対の導体辺部７１の双方は、周方向Ｃに互いに６スロットピッチ分離れた一対のスロット２２に配置されるとともに、周第一方向Ｃ１側の導体辺部７１が第一層に配置され、周第二方向Ｃ２側の導体辺部７１が第十層に配置される。すなわち、第一セット端周方向接続部５１が備える一対の導体辺部７１の間隔は、第二セット端周方向接続部５２が備える一対の導体辺部７１の間隔と同じとされている。これにより、図５に示すように、第一セット端周方向接続部５１と第二セット端周方向接続部５２とを、周第一方向Ｃ１側の突出部７３を除いて互いに同じ形状とすることが可能となっている。すなわち、本例では、図５に示すように、第一セット端周方向接続部５１が備える導体渡り部７２の形状と第二セット端周方向接続部５２が備える導体渡り部７２の形状とが互いに同一の形状とされている。そして、第一セット端周方向接続部５１の導体渡り部７２が、第二セット端周方向接続部５２の導体渡り部７２と同じ径方向Ｒ位置で周方向Ｃに１スロットピッチ分ずらして（具体的には周第二方向Ｃ２側に１スロットピッチ分ずらして）配置されている。
【０１０３】
さらに、上述したように、第一重ね巻セット６１内のセット内周方向接続部５ａが備える一対の導体辺部７１、及び第二重ね巻セット６２内のセット内周方向接続部５ａが備える一対の導体辺部７１の双方も、周方向Ｃに互いに６スロットピッチ分離れた一対のスロット２２に配置されるとともに、共に、周第一方向Ｃ１側の導体辺部７１が第一層に配置され、周第二方向Ｃ２側の導体辺部７１が第十層に配置される。すなわち、本例では、第一セット端周方向接続部５１が備える一対の導体辺部７１の間隔が、第二セット端周方向接続部５１が備える一対の導体辺部７１の間隔と同じとされているだけでなく、第一セット端周方向接続部５１が備える一対の導体辺部７１の間隔、第二セット端周方向接続部５２が備える一対の導体辺部７１の間隔、第一重ね巻セット６１内のセット内周方向接続部５ａが備える一対の導体辺部７１の間隔、及び第二重ね巻セット６２内のセット内周方向接続部５ａが備える一対の導体辺部７１の間隔が、全て同一とされている。
【０１０４】
そして、図５に示すように、第一セット端周方向接続部５１が備える導体渡り部７２の形状、第二セット端周方向接続部５２が備える導体渡り部７２の形状、第一重ね巻セット６１内のセット内周方向接続部５ａが備える導体渡り部７２の形状、及び第二重ね巻セット６２内のセット内周方向接続部５ａが備える導体渡り部７２の形状が、全て同一の形状とされている。なお、第二重ね巻セット６２は、第一重ね巻セット６１に対して周第一方向Ｃ１側に１スロットピッチ分ずらして配置されているため、第二重ね巻セット６２内のセット内周方向接続部５ａが備える導体渡り部７２は、第一重ね巻セット６１内のセット内周方向接続部５ａが備える導体渡り部７２と同じ径方向Ｒ位置で周方向Ｃに１スロットピッチ分ずらして（具体的には周第一方向Ｃ１側に１スロットピッチ分ずらして）配置されている。
【０１０５】
以上のように、本実施形態では、図５にも示すように、第一セット端周方向接続部５１及び第二セット端周方向接続部５２のみではなくセット内周方向接続部５ａも含めて、周方向接続部５が周第一方向Ｃ１側の突出部７３を除いて互いに同じ形状とされている。
【０１０６】
また、図２に示すように、第一セット端周方向接続部５１の周第一方向Ｃ１側の突出部７３の延出元の導体辺部７１は、第二セット端周方向接続部５２の周第一方向Ｃ１側の突出部７３の延出元の導体辺部７１に対して周第二方向Ｃ２側における同じ径方向Ｒ位置に配置されている。具体的には、第一セット端周方向接続部５１の周第一方向Ｃ１側の導体辺部７１に対して同じ径方向Ｒ位置の周第一方向Ｃ１側に１スロットピッチ分離れた位置に、第二セット端周方向接続部５２の周第一方向Ｃ１側の導体辺部７１が配置されている。そして、第一セット端周方向接続部５１の周第一方向Ｃ１側の突出部７３と、第二セット端周方向接続部５２の周第一方向Ｃ１側の突出部７３との双方は、延出元の導体辺部７１から周第一方向Ｃ１側へ向かうように延びる形状とされている。
【０１０７】
そして、上記のように、第一セット端周方向接続部５１を構成する異形セグメント導体７ｂの周第一方向Ｃ１側の突出部７３の周方向Ｃの長さは、３スロットピッチ分より長く、具体的には、本例では３．５スロットピッチ分に設定されているとともに、第二セット端周方向接続部５２を構成する異形セグメント導体７ｂの周第一方向Ｃ１側の突出部７３の周方向Ｃの長さは２スロットピッチ分に設定されている。すなわち、第一セット端周方向接続部５１を構成する異形セグメント導体７ｂの周第一方向Ｃ１側の先端部７４は、第二セット端周方向接続部５２を構成する異形セグメント導体７ｂの周第一方向Ｃ１側の先端部７４に対して周第一方向Ｃ１側に配置される。また、本例では、第一セット端周方向接続部５１を構成する異形セグメント導体７ｂの周第一方向Ｃ１側の先端部７４は、第二セット端周方向接続部５２を構成する異形セグメント導体７ｂの周第一方向Ｃ１側の先端部７４と同じ軸方向Ｌ位置に配置される。よって、図５に示すように、第一セット端周方向接続部５１の第一重ね巻セット６１に接続される側とは反対側（本例では周第一方向Ｃ１側）の突出部７３は、第二セット端周方向接続部５２の第一重ね巻セット６１に接続される側（本例では周第一方向Ｃ１側）の突出部７３と径方向Ｒに見て交差するように配置されることになる。
【０１０８】
本実施形態では、第一セット端周方向接続部５１を構成する異形セグメント導体７ｂの周第一方向Ｃ１側の突出部７３は、周第一方向Ｃ１側に向かうに従って径方向反界磁側（本例では径外方向Ｒ２側）に徐々に向かうような形状を有し、第一セット端周方向接続部５１を構成する異形セグメント導体７ｂの周第一方向Ｃ１側の先端部７４は、第二セット端周方向接続部５２を構成する異形セグメント導体７ｂの周第一方向Ｃ１側の先端部７４に対して径方向反界磁側（本例では径外方向Ｒ２側）に配置される。これにより、第一セット端周方向接続部５１と第二セット端周方向接続部５２との間の干渉を抑制しつつ、第一セット端周方向接続部５１と第二セット端周方向接続部５２とを適切に配置することが可能となっている。本実施形態では、第二セット端周方向接続部５２の周第一方向Ｃ１側の突出部７３が、第二セット端周方向接続部５２の第一重ね巻セット６１に接続される側の突出部７３であり、本発明における「第一対象突出部」に相当する。また、本実施形態では、第一セット端周方向接続部５１の周第一方向Ｃ１側の突出部７３が、第一セット端周方向接続部５１の第一重ね巻セット６１に接続される側とは反対側の突出部７３であり、本発明における「第二対象突出部」に相当する。
【０１０９】
ところで、上記のように、第一セット端周方向接続部５１を構成する異形セグメント導体７ｂの周第一方向Ｃ１側の先端部７４は、第二セット端周方向接続部５２を構成する異形セグメント導体７ｂの周第一方向Ｃ１側の先端部７４に対して周第一方向Ｃ１側に配置される。具体的には、第一セット端周方向接続部５１を構成する異形セグメント導体７ｂの周第一方向Ｃ１側の先端部７４は、第二セット端周方向接続部５２を構成する異形セグメント導体７ｂの周第一方向Ｃ１側の先端部７４に対して周第一方向Ｃ１側に１スロットピッチ分未満の長さ（本例では０．５スロットピッチ分）だけずらして配置されている。よって、第一セット端周方向接続部５１を構成する異形セグメント導体７ｂの周第一方向Ｃ１側の先端部７４は、径方向Ｒに見て、第一重ね巻セット６１内の重ね巻部３２（識別番号「１７」から「２０」までのセグメント導体７が構成する重ね巻部３２）を構成する基本セグメント導体７ａの先端部７４と、第二重ね巻セット６２内の重ね巻部３２（識別番号「３７」から「４０」までのセグメント導体７が構成する重ね巻部３２）を構成する基本セグメント導体７ａの先端部７４との間に配置される。すなわち、第一セット端周方向接続部５１を構成する異形セグメント導体７ｂの周第一方向Ｃ１側の先端部７４は、径方向Ｒに見て、１スロットピッチ分の間隔をあけて周方向Ｃに隣接する同相の接合部の間（本例では中央位置）に、当該同相の接合部と隣接して配置される。よって、動力線や中性点等（本例では動力線）に接続される第一セット端周方向接続部５１の先端部７４を、他相の相コイル３１が備える接合部から離間して配置し、当該先端部７４の絶縁を確保するのが容易な構成となっている。
【０１１０】
なお、第四セット端周方向接続部５４は、第一セット端周方向接続部５１に対して周第二方向Ｃ２側に６スロットピッチ分ずらして配置されていることを除けば第一セット端周方向接続部５１と同様に構成されている。また、第三セット端周方向接続部５３は、第二セット端周方向接続部５２に対して周第二方向Ｃ２側に６スロットピッチ分ずらして配置されていることを除けば第二セット端周方向接続部５２と同様に構成されている。そのため、ここでは、第三セット端周方向接続部５３と第四セット端周方向接続部５４についての詳細な説明は省略する。
【０１１１】
４．その他の実施形態
最後に、本発明に係るその他の実施形態を説明する。なお、以下の各々の実施形態で開示される特徴は、その実施形態でのみ利用できるものではなく、矛盾が生じない限り、別の実施形態にも適用可能である。
【０１１２】
（１）上記の実施形態では、第一セット端周方向接続部５１を構成する異形セグメント導体７ｂの周第一方向Ｃ１側の先端部７４が、第二セット端周方向接続部５２を構成する異形セグメント導体７ｂの周第一方向Ｃ１側の先端部７４に対して径方向反界磁側（本例では径外方向Ｒ２側）に配置される構成を例として説明した。しかし、本発明の実施形態はこれに限定されるものではなく、第一セット端周方向接続部５１を構成する異形セグメント導体７ｂの周第一方向Ｃ１側の先端部７４が、第二セット端周方向接続部５２を構成する異形セグメント導体７ｂの周第一方向Ｃ１側の先端部７４に対して周第一方向Ｃ１側の位置において、第二セット端周方向接続部５２を構成する異形セグメント導体７ｂの周第一方向Ｃ１側の先端部７４と同じ径方向Ｒの位置或いは当該位置より径方向界磁側（本例では径内方向Ｒ１側）に配置された構成とすることも可能である。第三セット端周方向接続部５３及び第四セット端周方向接続部５４についても同様である。
【０１１３】
（２）上記の実施形態では、重ね巻部３２が、スロット２２に対して軸方向Ｌに挿入可能な複数の基本セグメント導体７ａを用いて形成されている構成を例として説明した。しかし、本発明の実施形態はこれに限定されるものではなく、一つの重ね巻部３２が、１本の線状導体により連続成形された構成とすることも本発明の好適な実施形態の一つである。このような構成は、ステータコア２が、円筒状のコアを周方向Ｃに分割してなる複数の分割コアで構成される場合に好適である。また、上記の実施形態では、重ね巻部３２を構成する基本セグメント導体７ａがＵ字状セグメント導体である構成を例として説明したが、重ね巻部３２を構成するセグメント導体を、導体渡り部７２を備えずに軸方向Ｌの両側に突出部７３を備えたＩ字状或いはＬ字状のセグメント導体とすることもできる。
【０１１４】
（３）上記の実施形態では、第一セット端周方向接続部５１が備える導体渡り部７２の形状、第二セット端周方向接続部５２が備える導体渡り部７２の形状、第一重ね巻セット６１内のセット内周方向接続部５ａが備える導体渡り部７２の形状、及び第二重ね巻セット６２内のセット内周方向接続部５ａが備える導体渡り部７２の形状が、全て同一の形状とされている構成を例として説明したが、これらの内の何れか一部の導体渡り部７２が残りの導体渡り部７２とは異なる形状に形成された構成とすることも可能である。第三セット端周方向接続部５３、第四セット端周方向接続部５４、第三重ね巻セット６３、及び第四重ね巻セット６４についても同様である。
【０１１５】
（４）上記の実施形態では、周方向接続部５が備える双方の突出部７３に、第一屈曲部８１及び第二屈曲部８２が形成された構成を例として説明した。しかし、本発明の実施形態はこれに限定されるものではなく、周方向接続部５が備える双方の突出部７３の内の周第一方向Ｃ１側の突出部７３にのみ、第一屈曲部８１及び第二屈曲部８２が形成された構成とすることもできる。この構成では、周方向接続部５の周第二方向Ｃ２側の突出部７３を、導体辺部７１の延長線上に配置された直線状に形成することができる。また、この構成では、重ね巻部３２を構成する基本セグメント導体７ａについては、基本セグメント導体７ａの周第二方向Ｃ２側の突出部７３にのみ第一屈曲部８１及び第二屈曲部８２を形成し、周第一方向Ｃ１側の突出部７３は導体辺部７１の延長線上に配置された直線状に形成することができる。
【０１１６】
（５）上記の実施形態では、第一屈曲部８１や第二屈曲部８２が、導体辺部７１と平行に延びるように形成された突出部７３を、導体辺部７１のスロット２２内への挿入後に屈曲して形成されたものとされている構成を例として説明した。しかし、本発明の実施形態はこれに限定されるものではなく、第一屈曲部８１や第二屈曲部８２が予め形成されたセグメント導体７を、スロット２２の開口部側（本例では、径内方向Ｒ１側）からスロット２２に対して径方向Ｒに挿入する構成とすることも可能である。
【０１１７】
（６）上記の実施形態では、動力線から中性点に向かって、第一重ね巻セット６１、第二重ね巻セット６２、第三重ね巻セット６３、及び第四重ね巻セット６４が、記載の順に直列に接続されている構成を例として説明した。しかし、本発明の実施形態はこれに限定されるものではなく、第一重ね巻セット６１と第二重ね巻セット６２とが直列に接続されてなる重ね巻セット組と、第三重ね巻セット６３と第四重ね巻セット６４とが直列に接続されてなる重ね巻セット組とが、互いに並列に接続された構成とすることも、本発明の好適な実施形態の一つである。
【０１１８】
（７）上記の実施形態では、第一セット端周方向接続部５１を構成する異形セグメント導体７ｂの周第一方向Ｃ１側の突出部７３の先端部７４が動力線に接続され、第四セット端周方向接続部５４を構成する異形セグメント導体７ｂの周第一方向Ｃ１側の突出部７３の先端部７４が中性点に接続される構成を例として説明した。しかし、本発明の実施形態はこれに限定されるものではなく、第一セット端周方向接続部５１を構成する異形セグメント導体７ｂの周第一方向Ｃ１側の突出部７３の先端部７４、及び第四セット端周方向接続部５４を構成する異形セグメント導体７ｂの周第一方向Ｃ１側の突出部７３の先端部７４の双方に動力線が接続される構成や、第一セット端周方向接続部５１を構成する異形セグメント導体７ｂの周第一方向Ｃ１側の突出部７３の先端部７４が中性点に接続され、第四セット端周方向接続部５４を構成する異形セグメント導体７ｂの周第一方向Ｃ１側の突出部７３の先端部７４が動力線に接続される構成とすることもできる。
【０１１９】
（８）上記の実施形態では、第一セット端周方向接続部５１の周第一方向Ｃ１側の突出部７３が、第二セット端周方向接続部５２の周第一方向Ｃ１側の突出部７３と径方向Ｒに見て交差するように配置される構成を例として説明したが、これらが径方向Ｒに見て交差しないように配置された構成とすることも可能である。また、上記の実施形態では、第一セット端周方向接続部５１を構成する異形セグメント導体７ｂの周第一方向Ｃ１側の先端部７４が、第二セット端周方向接続部５２を構成する異形セグメント導体７ｂの周第一方向Ｃ１側の先端部７４に対して周第一方向Ｃ１側に１スロットピッチ分未満の長さだけずらして配置されている構成を例として説明した。しかし、本発明の実施形態はこれに限定されるものではなく、例えば、第一セット端周方向接続部５１の周第一方向Ｃ１側の先端部７４が、第二セット端周方向接続部５２の周第一方向Ｃ１側の先端部７４と同じ周方向Ｃ位置に配置された構成や、第二セット端周方向接続部５２の周第一方向Ｃ１側の先端部７４に対して周第一方向Ｃ１側に１スロットピッチ分以上の長さ（例えば１スロットピッチ分）だけずらして配置された構成、更には、第二セット端周方向接続部５２の周第一方向Ｃ１側の先端部７４に対して周第二方向Ｃ２側にずらして配置された構成とすることも可能である。
【０１２０】
（９）上記の実施形態では、コイル３が、各スロット２２内に導体辺部７１が径方向Ｒに１０個配列された１０層巻構造である構成を例として説明した。しかし、本発明の実施形態はこれに限定されるものではなく、各スロット２２内に配列される導体辺部７１の個数は適宜変更可能（特に偶数が望ましい。）である。
【０１２１】
（１０）上記の実施形態では、接合対象となる一対のセグメント導体７は、互いに径方向Ｒに隣接する先端部７４同士が径方向Ｒに接合される構成を例として説明した。しかし、本発明の実施形態はこれに限定されるものではなく、セグメント導体７が備える一対の突出部７３の内の少なくとも一方に径方向Ｒのオフセット屈曲部が形成され、接合対象となる一対のセグメント導体７が、互いに周方向Ｃに隣接する先端部７４同士が周方向Ｃに接合される構成とすることもできる。
【０１２２】
（１１）上記の実施形態では、セグメント導体７を構成する線状導体の延在方向に直交する断面の形状が矩形状である構成を例として説明した。しかし、本発明の実施形態はこれに限定されるものではなく、当該線状導体の断面形状を、円形状、楕円形状、矩形以外の多角形状等とすることも可能である。
【０１２３】
（１２）上記の実施形態では、本発明に係る回転電機用電機子を、インナロータ型の回転電機用のステータに適用した場合を例として説明したが、アウタロータ型の回転電機用のステータに適用することもできる。このような構成では、径内方向Ｒ１側が、本発明における「径方向反界磁側」に相当する。また、本発明に係る回転電機用電機子を、固定界磁型の回転電機用のロータに適用することも可能である。
【０１２４】
（１３）上記の実施形態では、周第一方向Ｃ１が、ステータ１を軸第一方向Ｌ１側から見た場合における反時計回りの方向と一致し、周第二方向Ｃ２が、ステータ１を軸第一方向Ｌ１側から見た場合における時計回りの方向と一致する構成を例として説明したが、周第一方向Ｃ１と周第二方向Ｃ２とを逆にすることも当然に可能である。
【０１２５】
（１４）その他の構成に関しても、本明細書において開示された実施形態は全ての点で例示であって、本発明の実施形態はこれに限定されない。すなわち、本願の特許請求の範囲に記載された構成及びこれと均等な構成を備えている限り、特許請求の範囲に記載されていない構成の一部を適宜改変した構成も、当然に本発明の技術的範囲に属する。
【産業上の利用可能性】
【０１２６】
本発明は、円筒状のコア基準面の軸方向に延びるスロットが当該コア基準面の周方向に複数分散配置されている電機子コアと、スロット内に配置される導体辺部を有して電機子コアに巻装されたコイルと、を備えた回転電機用電機子に好適に利用することができる。
【符号の説明】
【０１２７】
１：ステータ（回転電機用電機子）
２：ステータコア（電機子コア）
２１：コア基準面
２２：スロット
３：コイル
３１：相コイル
３２：重ね巻部
５：周方向接続部
５１：第一セット端周方向接続部（第二周方向接続部）
５２：第二セット端周方向接続部（第一周方向接続部）
５３：第三セット端周方向接続部（第一周方向接続部）
５４：第四セット端周方向接続部（第二周方向接続部）
６１：第一重ね巻セット（コイル部、対象コイル部）
６２：第二重ね巻セット（コイル部）
６３：第三重ね巻セット（コイル部）
６４：第四重ね巻セット（コイル部、対象コイル部）
７：セグメント導体
７１：導体辺部
７２：導体渡り部
７３：突出部
７４：先端部
８１：第一屈曲部（周方向屈曲部）
Ｌ：軸方向
Ｃ：周方向
Ｃ１：周第一方向
Ｃ２：周第二方向
Ｒ：径方向
【図１】
2012055074.tif 000003
【図２】
2012055074.tif 000004
【図３】
2012055074.tif 000005
【図４】
2012055074.tif 000006
【図５】
2012055074.tif 000007
【図６】
2012055074.tif 000008
【図７】
2012055074.tif 000009